(57)【要約】【課題】簡単な作業で網戸の端部を確実に網戸框に保持固定でき、網材が網戸框からはみ出ることなく、網戸の張り替えを安全でかつきれいに行うことができる網戸を提供する。【解決手段】  網戸框と、網戸框の内周に張設される網材と、網材の端縁を網戸框に保持固定する長尺状の網押え材とを備え、網戸框を構成する框材は、内周に見込み方向で一方側に開口する網材固定溝を有し、網押え材は、網材固定溝内に挿入されて網材を網材固定溝内に保持固定する挿入部を備え、挿入部の外周側面には、網材固定溝内に挿入された状態で網材固定溝から露出する切断ガイド部を有する。【選択図】図４
2018071120.tif 000002
【特許請求の範囲】
【請求項１】
網戸框と、網戸框の内周に張設される網材と、網材の端縁を網戸框に保持固定する長尺状の網押え材とを備え、
網戸框を構成する框材は、内周に見込み方向で一方側に開口する網材固定溝を有し、
網押え材は、網材固定溝内に挿入されて網材を網材固定溝内に保持固定する挿入部を備え、挿入部の外周側面には、網材固定溝内に挿入された状態で網材固定溝から露出する切断ガイド部を有する
ことを特徴とする網戸。
【発明の詳細な説明】
【技術分野】
【０００１】
本発明は、例えば建物開口部に配置される網戸に関する。
【背景技術】
【０００２】
従来、建物の開口部を開閉する障子の室外側には、障子を開放した際に虫等の侵入を防止する網戸が配置されている。網戸は、通常、アルミ型材からなる框材を四周に組んでなる網戸框の内周に合成樹脂等により形成される網材を張設して形成されているが、網材自体の強度はそれほど高くなく、子供やペットが接触したり、経年劣化等により穴が開くなどして張り替える必要がある。
そして、網材を網戸框へ固定するために、網戸框に形成された網収納溝に網材の側端部を配置させた状態で網収納溝に押し込むことで、網材の端部を網収納溝に保持固定することができる防虫網押え具が知られている。（特許文献１）
【先行技術文献】
【特許文献】
【０００３】
【特許文献１】実開昭５５−５５５９８号
【発明の概要】
【発明が解決しようとする課題】
【０００４】
上記特許文献１の網戸の防虫網押え具によって防虫網を張設する際には、まず、網の固定端縁を枠体の網収納溝の開口部に臨ませ、次に防虫抑え具を網の固定端縁に当接した状態で溝内に押し込んで行われ、それによって防虫網の端縁が網収納溝内に保持固定されるものである。
しかし、上記防虫網押え具によって保持固定する際には、防虫網は、枠体の大きさに応じてあらかじめ切断されていなければならず、また、ちょうどよい大きさに切断されていたとしても、防虫網を枠体の網戸収納溝内に押し込むときにずれるなどして一辺の縁が網戸収納溝と防虫網押え具との間で十分に圧接されず、抜けてしまう可能性があった。
また、防虫網をあらかじめ切断せずに防虫抑え具によって保持固定したのちにはみ出した端部を切断することも行われているが、防虫網の端縁をまっすぐに切断することは難しく、網戸の一部の端縁がはみ出した状態になってしまったり、枠体がアルミ合金等によって形成されていることから、防虫網の切断時にカッターが滑って枠体に傷をつけたり、作業者が怪我をする可能性があった。
【０００５】
本発明は、上記事情を鑑みたものであり、簡単な作業で網戸の端部を確実に網戸框に保持固定でき、網材が網戸框からはみ出ることなく、網戸の張り替えを安全でかつきれいに行うことができる網戸を提供することを目的とする。
【課題を解決するための手段】
【０００６】
本発明は、網戸框と、網戸框の内周に張設される網材と、網材の端縁を網戸框に保持固定する長尺状の網押え材とを備え、網戸框を構成する框材は、内周に見込み方向で一方側に開口する網材固定溝を有し、網押え材は、網材固定溝内に挿入されて網材を網材固定溝内に保持固定する挿入部を備え、挿入部の外周面には、網材固定溝内に挿入された状態で網材固定溝から露出する切断ガイド部を有することを特徴とする。
【発明の効果】
【０００７】
本発明によれは、網戸の張り替え時に框材に傷をつけることが抑止でき、また、作業者が怪我をする可能性を少なくして、安全、簡単にかつきれいに網戸の網材の張り替えすることができる。
【図面の簡単な説明】
【０００８】
【図１】本発明の実施形態に係る網戸の外観斜視図である。
【図２】本発明の実施形態に係る網戸の框材の図であり、図１のａ−ａ断面部分を示し、（ａ）は網押え材によって網材を保持固定する前の断面図であり、（ｂ）は網押え材によって網材を保持固定した後の断面図である。
【図３】本発明の実施形態に係る網戸の框材に網材を張設する手順を示す図であり、（ａ）は網押え材によって網材を保持固定する前の断面図であり、（ｂ）は網押え材によって網材を框材の網材固定溝に挿入する際の断面図であり、（ｃ）は（ｂ）の網材固定溝部分の拡大図断面図である。
【図４】本発明の実施形態に係る網戸の框材に網材を張設する手順を示す図であり、（ａ）は網押え材を網材固定溝に挿入して網材を保持固定した時の断面図であり、（ｂ）は（ａ）の網材固定溝部分の拡大図断面図であり、（ｃ）は網材固定溝に挿入した網材の余り部分を切断する時の断面図であり、（ｄ）は（ｃ）の網材固定溝部分の拡大図断面図である。
【図５】本発明の実施形態に係る網戸の框材に網材を張設する手順を示す図であり、（ａ）は網材固定溝に挿入した網材の余り部分を切断する時の全体斜視図であり、（ｂ）は（ａ）の切断部分の拡大斜視図である。
【発明を実施するための形態】
【０００９】
図面を参照しながら、本発明の実施形態の網戸について説明する。
（網戸の全体構成）
本発明の実施形態の網戸２は、通常、建物開口部に配置される障子の屋外側に配置されており、図１に示すように、上框２１、下框２２及び左右縦框２３，２４を四周に組んで網戸框が形成され、その内周に網材２５が張設されて形成されている。
本実施形態の網戸２においては、網材２５は、各框材の室外側面（一方側）の内周端部付近に保持固定され、各框材の室外側面とほぼ面一に張設されている。
【００１０】
四周に組まれて網戸框を形成する各框材（上框２１、下框２２及び左右縦框２３，２４）は、例えばアルミニウム合金の押出型材からなり、ほぼ同一断面形状をなしている。
各框材ついて、右縦框２４を参考にして説明すれば、図２（ａ）に示すように、右縦框（框材）２４は、四周に組まれて網戸框を形成する中空形状の框材本体部２４１と、框材本体部２４１の内周に設けられ見込み方向の一方側（屋外側）に開口する網材固定溝２４２を有している。
網材２５は、ポリエステル糸材をメッシュ状に編み込んだものに塩化ビニール樹脂をコーティングして形成してある。
【００１１】
（網戸固定溝の構成）
網材固定溝２４２は、框材本体部２４１の内周端面から内周方向に延設される見付け壁２４２ａと見付け壁２４２ａの内周端から一方側（屋外側）に向けて屈曲して延設される見込み壁２４２ｂとを有し、見付け壁２４２ａと見込み壁２４２ｂと框材本体部２４１の内周側見込み面２４１ａとによって、見込み方向の一方側（屋外側）に開口する溝として形成されている。
【００１２】
網材固定溝２４２を構成する見込み壁２４２ｂの一方側先端部は、網材固定溝２４２の開口の一方側端を狭めるように外周方向に膨出して抜け止め膨出部２４２ｃが形成されるとともに、見込み壁２４２ｂの外周側の面に溝内に突出する係合突部２４２ｄが形成されている。そして、見込み壁２４２ｂの一方側端は框材本体部２４１の一方側面よりも他方側に位置しており、図２（ｂ）に示すように、網戸框に網材２５が張設された状態で框材（右縦框）２４の一方側面２４１ｂと網材２５の一方側面とがほぼ面一になりように構成されている。
【００１３】
（網押え材の構成）
一方、網押え材３は、硬質塩化ビニール等の樹脂材料からなる長尺部材として形成され、図２（ａ）に示すように、框材の網材固定溝２４２に挿入して係合される挿入部３１と、挿入部３１と一体的に形成され、網材２５の張設時に框材（右縦框）２４の見込み壁２４２ｂの抜け止め膨出部２４２ｃの一方側に配置される屋外壁部３２とを備えている。
網押え材３の外周側面の一方側寄りには、網押え材３の長手方向に沿って平行に伸び、網戸を切断するカッターの刃をガイドする切断ガイド部としての三角溝３１ａ，３１ａ・・が複数形成されている。
また、挿入部３１の挿入方向先端部は、二股に分かれて弾性係合部３１ｂが形成され、網押え材３の内周側面には弾性係合部３１ｂの反挿入側に連続して係合凹部３１ｃが形成されている。
そして、図２（ｂ）に示すように、網材２５が網材固定溝２４２と網押え材３との間に挟まれることで、網材固定溝２４２の内周面、即ち、見付け壁２４２ａ、見込み壁２４２ｂ及び内周側見込み面２４１ａと網押え材３の挿入部３１の外周面との間の摩擦抵抗により、網材２５が張設されている。
【００１４】
（網戸の張設手順）
網戸の張り替えの際、網戸框の網材固定溝２４２に網材２５を張設するには、まず、図３（ａ）に示すように、網材２５の外周縁部が網材固定溝２４２の開口に対抗するように、網材２５を框材（右縦框）２４の一方側（屋外側）に配置する。網材２５の外周縁部は少なくとも網材固定溝２４２の内周面の面積より大きく設定されており、網材２５が網押え材３によって網材固定溝２４２内に保持固定された際に網材固定溝２４２の外周側から余り部分が露出する。そして、網押え材３を、網材２５の網材固定溝２４２の一方側（屋外側）に配置された部位に対して一方側（屋外側）から押し付けることで、網材２５を網材固定溝２４２内に挿入する。
【００１５】
網材２５とともに網材固定溝２４２内に挿入される網押え材３は、図３（ｂ），（ｃ）に示すように、弾性係合部３１ｂが網材２５とともに網材固定溝２４２の抜け止め膨出部２４２ｃによって形成される狭い開口を通って溝内に挿入される。溝内に挿入される際には、網押え材３の挿入側端部は網材２５とともに抜け止め膨出部２４２ｃに当接することがあるが、網押え材３は樹脂材料により形成されており、また、挿入側先端部には二股形状の弾性係合部３１ｂが形成されているから、抜け止め膨出部２４２ｃに当接するときの力を弾性係合部３１ｂの変形等によって吸収することができ、網材２５に過度な力がかかることを抑制し、破損することを防止できる。
【００１６】
網押え材３の網材固定溝２４２内への挿入が完了し、網材２５が網押え材３によって網材固定溝２４２内に保持固定された状態においては、図４（ａ），（ｂ）に示すように、
抜け止め膨出部２４２ｃが網押え材３の弾性係合部３１ｂに隣接した係合凹部３１ｃに対向することで、網材２５を網材固定溝２４２内に網材２５を保持する屈曲経路が形成されている。また、網材固定溝２４２内に突出する係合突部２４２ｄと弾性係合部３１ｂとによって網材２５を挟みつけている。
このように、網材固定溝２４２内の屈曲経路に配置され、係合突部２４２ｄと弾性係合部３１ｂとによって保持されている網材２５は、網材固定溝２４から容易に滑り抜けることがない。
また、網材固定溝２４２の抜け止め膨出部２４２ｃと網押え材３の係合凹部３１ｃとが対抗するように挿入されるので、係合凹部の一辺（弾性係合部３１ｂ側の肩部）が抜け止め膨出部２４２ｃに当接することで網押え材３も容易に抜け落ちることがない。
【００１７】
次に、図５（ａ），（ｂ）に示すように、框材（図では、右縦框２４）の外周側から余り出る網材２５の端縁をカッター等によって根本から切断する。
このとき、図４（ｃ），（ｄ）に示すように、網材２５を網材固定溝２４２内に保持する網押え材３が網材固定溝２４２の開口部よりも一方側に突出しており、網押え材３の外周側面の一方側寄りには、網押え材３の長手方向に沿って平行に伸びる三角溝３１ａが形成されているので、カッターによって合成樹脂材の網押え材３の外周側面を下敷きとして網材２５を切断することができ、また、カッターの刃は、網材固定溝２４２から露出する三角溝３１ａに沿って滑らせることにより、網材２５をまっすぐに切断することができる。
【００１８】
以上のように、本実施形態の網戸においては、框材の網材固定溝内に網材を保持固定する網押え材を合成樹脂材料からなる長尺部材により形成し、網材固定溝内に挿入した際の外周側面に長手方向に沿って複数の三角溝を形成したので、網材固定溝内に保持された網材の余り部分を切断する際に、カッター等を三角溝に沿って滑らすことでまっすぐきれいに切断することができ、カッターの刃が滑って框材を傷つけたり、作業者が怪我をすることを防ぐことができる。
また、合成樹脂材料からなる網押え材を下敷きとして網材を切断するので、カッターの刃を網押え材に食い込ませることで網材を確実に切断することができる。
さらに、三角溝は網押え材の外周側面に複数設けてあるので、網材を保持固定する網戸框が変わって網押え材の網材固定溝に対する挿入深さが変化しても、最適な位置で網材を切断することができる。
【００１９】
なお、本実施形態においては、網押え材は、硬質塩化ビニール等の合成樹脂材料により形成されているが、硬質ゴム等その他の材料を用いてもよく、また、網押え材の挿入端部に形成される弾性係合部の形状も二股形状に限定されるものではなく、挿入端部にある程度の弾性を付与することができれば特にその構成は限定されない。また、網押え材の外周側面に形成されカッターの刃をガイドする切断ガイド部は、三角溝に限るものではなく、また、複数でなくてもよく、カッターの刃をガイドすることができればどのような形状のものでもよい。その他の各部材の形状等は何ら限定されるものではない。
さらに、網材についても、その種類や材質は何ら限定されることなく、網戸としての機能を果たすものであればその構成は限定されない。
【符号の説明】
【００２０】
２        ：網戸
３        ：材
２１      ：上框
２２      ：下框
２３      ：左縦框
２４      ：右縦框
２５      ：網材
３１      ：挿入部
３１ａ    ：三角溝（切断ガイド部）
３１ｂ    ：弾性係合部
３１ｃ    ：係合凹部
３２      ：屋外壁部
２４１    ：框材本体部
２４１ａ  ：内周側見込み面
２４１ｂ  ：一方側面
２４２    ：網材固定溝
２４２ａ  ：見付け壁
２４２ｂ  ：見込み壁
２４２ｃ  ：抜け止め膨出部
２４２ｄ  ：係合突部
【図１】
2018071120.tif 000003
【図２】
2018071120.tif 000004
【図３】
2018071120.tif 000005
【図４】
2018071120.tif 000006
【図５】
2018071120.tif 000007